(57)【特許請求の範囲】
【請求項１】
断面コ字型の鋼材を所定の長さに断裁し、両端にボルトのための開口を設けると共に、両端部に設けた方形鋼材部にもボルトのための開口を設けた構成である第１部材と、
Ｌ字鋼材の一方のウェブの両端を断裁して端部に開口を形成すると共に、他方のウェブに、先端側が解放状態である開口を設けた構成である第３部材と、
断面コ字型の鋼材で脚本体を形成し、その下端に支持板を取り付けると共に、上端側にボルトのための開口を用意した構成である第４部材とを用意し、
前記第１部材と前記第４部材との組み合わせにより２脚の門型架台に組み立て、これら門型架台を前記第３部材により連結して４脚の支持架台に組み立てる構成を有する配管用支持架台であって、
前記第１部材は、前記断面コ字型鋼材の相対向する開放部に、前記方形鋼材部を配置固定し箱形状にしてあり、前記断面コ字型鋼材の両端に設けられたボルトのための開口は、該断面コ字型鋼材の相対向する一面と他面のいずれか一方の面の両端部に存在する構成であり、
前記第３部材は、Ｌ字鋼材を所定の長さに断裁して形成されており、前記Ｌ字鋼材の一方のウェブの両端の断裁幅は、前記第４部材の脚本体の後記連結面の幅に一致させてあり、前記一方のウェブの端部に設けられた開口は、該断裁されたＬ字鋼材の両端に設けられたボルトのための開口であり、前記他方のウェブに設けられた先端側が解放状態である開口は、該他方のウェブの両端に設けられたボルトのための開口であり、
前記第４部材は、断面コ字型鋼材を所定の長さに断裁して形成されており、前記ボルトのための開口は、該脚本体の３面各々の上端部に各複数設けられており、
前記第１部材と第４部材との組み合わせは、該第１部材が１つであると共に該第４部材が２つの組み合わせであり、該第４部材は、脚本体の３面以外の開放面が相対向させてあり、該第１部材が該２つの第４部材の上端部を連結しており、
前記第１部材の端部に設けられた前記開口と、前記第４部材の脚本体の上端部に設けられた前記開口とを通じて配置されるボルトにより、該第１部材と該第４部材とを組み合わせ固定することによって２脚の門型架台を組み立てた構成であり、
前記門型架台を連結する第３部材は、該２つの門型架台を相対向して配置し、この２つの門型架台の上端部を連結する２つの部材であり、
前記門型架台を、前記第１部材の方形鋼材部に設けられた前記開口と、前記第４部材の脚本体の相対向する面を連結する連結面に設けられた前記開口と、第３部材の他方のウェブに設けられた前記開口とを通じて配置されるボルトにより、前記２つの門型架台を連結固定する構成であることを特徴とする配管用支持架台。
【請求項２】
Ｌ字鋼材を所定の長さに断裁し、両端部にボルトのための開口を設けた構成である第２部材と、
Ｌ字鋼材の一方のウェブの両端を断裁して端部に開口を形成すると共に、他方のウェブに、先端側が解放状態である開口を設けた構成である第３部材と、
断面コ字型の鋼材で脚本体を形成し、その下端に支持板を取り付けると共に、上端側にボルトのための開口を用意した構成である第４部材とを用意し、
前記第２部材と前記第４部材との組み合わせにより２脚の門型架台に組み立て、これら門型架台を第３部材により連結して４脚の支持架台に組み立てる構成を有する配管用支持架台であって、
前記第２部材のボルトのための開口は、各ウェブの両端部に存在する構成であり、
前記第３部材は、Ｌ字鋼材を所定の長さに断裁して形成されており、前記Ｌ字鋼材の一方のウェブの両端の断裁幅は、前記第４部材の脚本体の後記連結面の幅に一致させてあり、前記一方のウェブの端部に設けられた開口は、該断裁されたＬ字鋼材の両端に設けられたボルトのための開口であり、前記他方のウェブに設けられた先端側が解放状態である開口は、該他方のウェブの両端に設けられたボルトのための開口であり、
前記第４部材は、断面コ字型鋼材を所定の長さに断裁して形成されており、前記ボルトのための開口は、該脚本体の３面各々の上端部に各複数設けられており、
前記第２部材と第４部材との組み合わせは、該第２部材が１つであると共に該第４部材が２つの組み合わせであり、該第４部材は、脚本体の３面以外の開放面が相対向させてあり、該第２部材が該２つの第４部材の上端部を連結しており、
前記第２部材の両端部に設けられた前記開口と、前記第４部材の脚本体の上端部に設けられた前記開口とを通じて配置されるボルトにより、第２部材と第４部材とを組み合わせ固定することによって２脚の門型架台に組み立てた構成であり、
前記門型架台を連結する第３部材は、該２つの門型架台を相対向して配置し、この２つの門型架台の上端部を連結する２つの部材であり、
前記門型架台を、前記第４部材の脚本体の相対向する面を連結する連結面に設けられた前記開口と、前記第３部材の他方のウェブに設けられた前記開口とを通じて配置されるボルトにより、２つの門型架台を連結固定する構成であることを特徴とする配管用支持架台。
【請求項３】
断面コ字型の鋼材を所定の長さに断裁し、両端にボルトのための開口を設けると共に、両端部に取り付けた方形鋼材にもボルトのための開口を設けた構成である第１部材と、
Ｌ字鋼材の一方のウェブの両端を断裁して端部に開口を形成すると共に、他方のウェブに、先端側が解放状態である開口を設け、且つ該ウェブの両端を延長してその延長部を屈曲させて端部片とすると共に開口を設けた構成である第３部材改良部材と、
断面コ字型の鋼材で脚本体を形成し、その下端に支持板を取り付けると共に、上端側にボルトのための開口を用意した構成である第４部材とを用意し、
前記第１部材と前記第４部材との組み合わせにより２脚の門型架台に組み立て、これら門型架台を前記第３部材改良部材により連結して４脚の支持架台に組み立てる構成を有する配管用支持架台であって、
前記第１部材は、前記断面コ字型鋼材の相対向する開放部に、前記方形鋼材部を配置固定し箱形状にすると共に、前記断面コ字型鋼材の両端に設けられたボルトのための開口は、該断面コ字型鋼材の相対向する一面と他面のいずれか一方の面の両端部に存在する構成であり、
前記第３部材改良部材は、Ｌ字鋼材を所定の長さに断裁して形成されており、前記Ｌ字鋼材の一方のウェブの両端の断裁幅のうち端部片を除いた部分の幅は、前記第４部材の脚本体の後記連結面の幅に一致させてあり、前記一方のウェブの端部に設けられた開口は、該断裁されたＬ字鋼材の両端に設けられたボルトのための開口であり、前記他方のウェブに設けられた先端側が解放状態である開口は、該他方のウェブの両端に設けられたボルトのための開口であり、
前記第４部材は、断面コ字型鋼材を所定の長さに断裁して形成されており、前記ボルトのための開口は、該脚本体の３面各々の上端部に各複数設けられており、
前記第１部材と第４部材との組み合わせは、該第１部材が１つであると共に該第４部材が２つの組み合わせであり、該第４部材は、脚本体の３面以外の開放面が相対向させてあり、該第１部材が該２つの第４部材の上端部を連結しており、
前記第１部材の端部に設けられた前記開口と、前記第４部材の脚本体の上端部に設けられた前記開口とを通じて配置されるボルトにより、該第１部材と該第４部材とを組み合わせ固定することによって２脚の門型架台を組み立てた構成であり、
前記門型架台を連結する第３部材改良部材は、該２つの門型架台を相対向して配置し、この２つの門型架台の上端部を連結する２つの部材であり、
前記門型架台を、第１部材の方形鋼材部に設けられた前記開口と、第４部材の脚本体の相対向する面を連結する連結面に設けられた前記開口と、第３部材改良部材の他方のウェブに設けられた前記開口とを通じて配置されるボルトにより、
又は、第１部材の端部の設けられた前記開口と、第４部材の脚本体に設けられた前記開口と、第３部材改良部材の屈曲された延長部分で形成される端部片に設けられた前記開口とを通じて配置されるボルトにより、２つの門型架台を連結固定する構成であることを特徴とする配管用支持架台。
【請求項４】
Ｌ字鋼材を所定の長さに断裁し、両端部にボルトのための開口を設けた構成である第２部材と、
Ｌ字鋼材の一方のウェブの両端を断裁して端部に開口を形成すると共に、他方のウェブに、先端側が解放状態である開口を設け、且つ該ウェブの両端を延長してその延長部を屈曲させて端部片とすると共に開口を設けた構成である第３部材改良部材と、
断面コ字型の鋼材で脚本体を形成し、その下端に支持板を取り付けると共に、上端側にボルトのための開口を用意した構成である第４部材とを用意し、
前記第２部材と前記第４部材との組み合わせにより２脚の門型架台に組み立て、これら門型架台を第３部材改良部材により連結して４脚の支持架台に組み立てる構成を有する配管用支持架台であって、
前記第２部材のボルトのための開口は、各ウェブの両端部に存在する構成であり、
前記第３部材改良部材は、Ｌ字鋼材を所定の長さに断裁して形成されており、前記Ｌ字鋼材の一方のウェブの両端の断裁幅のうち端部片を除いた部分の幅は、前記第４部材の脚本体の後記連結面の幅に一致させてあり、前記一方のウェブの端部に設けられた開口は、該断裁されたＬ字鋼材の両端に設けられたボルトのための開口であり、前記他方のウェブに設けられた先端側が解放状態である開口は、該他方のウェブの両端に設けられたボルトのための開口であり、
前記第４部材は、断面コ字型鋼材を所定の長さに断裁して形成されており、前記ボルトのための開口は、該脚本体の３面各々の上端部に各複数設けられており、
前記第２部材と第４部材との組み合わせは、該第２部材が１つであると共に該第４部材が２つの組み合わせであり、該第４部材は、脚本体の３面以外の開放面が相対向させてあり、該第２部材が該２つの第４部材の上端部を連結しており、
前記第２部材の両端部に設けられた前記開口と、前記第４部材の脚本体の上端部に設けられた前記開口とを通じて配置されるボルトにより、第２部材と第４部材とを組み合わせ固定することによって２脚の門型架台に組み立てた構成であり、
前記門型架台を連結する第３部材改良部材は、該２つの門型架台を相対向して配置し、この２つの門型架台の上端部を連結する２つの部材であり、
前記門型架台を、第４部材の脚本体の相対向する面を連結する連結面に設けられた前記開口と、第３部材改良部材の他方のウェブに設けられた前記開口とを通じて配置されるボルトにより、
又は、第２部材の両端部に設けられた前記開口と、第４部材の脚本体に設けられた前記開口と、第３部材改良部材の屈曲された延長部分で形成される端部片に設けられた前記開口とを通じて配置されるボルトにより、２つの門型架台を連結固定する構成であることを特徴とする配管用支持架台。
【発明の詳細な説明】
【０００１】
【発明の属する技術分野】
本発明は、配管用の支持架台に関する。
【０００２】
【従来の技術】
配管用支持架台としては、特開平６−１９３７７２号、同１０−１６９８５０号、実開昭６３−３５８８４号、実開平１−１１１８９１号、同５−５２４７３号、同６−５６２１６号、同７−１４２８３号公報に記載がある外、市販品として種々の構成のものが知られている。
【０００３】
【発明が解決しようとする課題】
「馬」と俗称される配管用支持架台は、配管を床面より持ち上げた位置で行なうために利用されるものであり、高さや幅は必ずしも一定していない。このためメーカーとしては、様々なサイズの要請を満足させるために、需要を満足させるためには予め何通りものサイズの部材を用意しておかなければならず、在庫が多くなり不経済であるだけでなく、在庫管理も煩雑である。
【０００４】
本発明は、上記に鑑み、少ない部材の組み合わせにより、多くの需要を満足させることができる配管用支持架台を明らかにすることを課題とする。
【０００５】
【課題を解決するための手段】
上記課題を解決する本発明に係る配管用支持架台は、下記構成を有する。
１．断面コ字型の鋼材を所定の長さに断裁し、両端にボルトのための開口を設けると共に、両端部に設けた方形鋼材部にもボルトのための開口を設けた構成である第１部材と、
Ｌ字鋼材の一方のウェブの両端を断裁して端部に開口を形成すると共に、他方のウェブに、先端側が解放状態である開口を設けた構成である第３部材と、
断面コ字型の鋼材で脚本体を形成し、その下端に支持板を取り付けると共に、上端側にボルトのための開口を用意した構成である第４部材とを用意し、
前記第１部材と前記第４部材との組み合わせにより２脚の門型架台に組み立て、これら門型架台を前記第３部材により連結して４脚の支持架台に組み立てる構成を有する配管用支持架台であって、
前記第１部材は、前記断面コ字型鋼材の相対向する開放部に、前記方形鋼材部を配置固定し箱形状にしてあり、前記断面コ字型鋼材の両端に設けられたボルトのための開口は、該断面コ字型鋼材の相対向する一面と他面のいずれか一方の面の両端部に存在する構成であり、
前記第３部材は、Ｌ字鋼材を所定の長さに断裁して形成されており、前記Ｌ字鋼材の一方のウェブの両端の断裁幅は、前記第４部材の脚本体の後記連結面の幅に一致させてあり、前記一方のウェブの端部に設けられた開口は、該断裁されたＬ字鋼材の両端に設けられたボルトのための開口であり、前記他方のウェブに設けられた先端側が解放状態である開口は、該他方のウェブの両端に設けられたボルトのための開口であり、
前記第４部材は、断面コ字型鋼材を所定の長さに断裁して形成されており、前記ボルトのための開口は、該脚本体の３面各々の上端部に各複数設けられており、
前記第１部材と第４部材との組み合わせは、該第１部材が１つであると共に該第４部材が２つの組み合わせであり、該第４部材は、脚本体の３面以外の開放面が相対向させてあり、該第１部材が該２つの第４部材の上端部を連結しており、
前記第１部材の端部に設けられた前記開口と、前記第４部材の脚本体の上端部に設けられた前記開口とを通じて配置されるボルトにより、該第１部材と該第４部材とを組み合わせ固定することによって２脚の門型架台を組み立てた構成であり、
前記門型架台を連結する第３部材は、該２つの門型架台を相対向して配置し、この２つの門型架台の上端部を連結する２つの部材であり、
前記門型架台を、前記第１部材の方形鋼材部に設けられた前記開口と、前記第４部材の脚本体の相対向する面を連結する連結面に設けられた前記開口と、第３部材の他方のウェブに設けられた前記開口とを通じて配置されるボルトにより、前記２つの門型架台を連結固定する構成であることを特徴とする配管用支持架台。
２．Ｌ字鋼材を所定の長さに断裁し、両端部にボルトのための開口を設けた構成である第２部材と、
Ｌ字鋼材の一方のウェブの両端を断裁して端部に開口を形成すると共に、他方のウェブに、先端側が解放状態である開口を設けた構成である第３部材と、
断面コ字型の鋼材で脚本体を形成し、その下端に支持板を取り付けると共に、上端側にボルトのための開口を用意した構成である第４部材とを用意し、
前記第２部材と前記第４部材との組み合わせにより２脚の門型架台に組み立て、これら門型架台を第３部材により連結して４脚の支持架台に組み立てる構成を有する配管用支持架台であって、
前記第２部材のボルトのための開口は、各ウェブの両端部に存在する構成であり、
前記第３部材は、Ｌ字鋼材を所定の長さに断裁して形成されており、前記Ｌ字鋼材の一方のウェブの両端の断裁幅は、前記第４部材の脚本体の後記連結面の幅に一致させてあり、前記一方のウェブの端部に設けられた開口は、該断裁されたＬ字鋼材の両端に設けられたボルトのための開口であり、前記他方のウェブに設けられた先端側が解放状態である開口は、該他方のウェブの両端に設けられたボルトのための開口であり、
前記第４部材は、断面コ字型鋼材を所定の長さに断裁して形成されており、前記ボルトのための開口は、該脚本体の３面各々の上端部に各複数設けられており、
前記第２部材と第４部材との組み合わせは、該第２部材が１つであると共に該第４部材が２つの組み合わせであり、該第４部材は、脚本体の３面以外の開放面が相対向させてあり、該第２部材が該２つの第４部材の上端部を連結しており、
前記第２部材の両端部に設けられた前記開口と、前記第４部材の脚本体の上端部に設けられた前記開口とを通じて配置されるボルトにより、第２部材と第４部材とを組み合わせ固定することによって２脚の門型架台に組み立てた構成であり、
前記門型架台を連結する第３部材は、該２つの門型架台を相対向して配置し、この２つの門型架台の上端部を連結する２つの部材であり、
前記門型架台を、前記第４部材の脚本体の相対向する面を連結する連結面に設けられた前記開口と、前記第３部材の他方のウェブに設けられた前記開口とを通じて配置されるボルトにより、２つの門型架台を連結固定する構成であることを特徴とする配管用支持架台。
【０００６】
３．断面コ字型の鋼材を所定の長さに断裁し、両端にボルトのための開口を設けると共に、両端部に取り付けた方形鋼材にもボルトのための開口を設けた構成である第１部材と、
Ｌ字鋼材の一方のウェブの両端を断裁して端部に開口を形成すると共に、他方のウェブに、先端側が解放状態である開口を設け、且つ該ウェブの両端を延長してその延長部を屈曲させて端部片とすると共に開口を設けた構成である第３部材改良部材と、
断面コ字型の鋼材で脚本体を形成し、その下端に支持板を取り付けると共に、上端側にボルトのための開口を用意した構成である第４部材とを用意し、
前記第１部材と前記第４部材との組み合わせにより２脚の門型架台に組み立て、これら門型架台を前記第３部材改良部材により連結して４脚の支持架台に組み立てる構成を有する配管用支持架台であって、
前記第１部材は、前記断面コ字型鋼材の相対向する開放部に、前記方形鋼材部を配置固定し箱形状にすると共に、前記断面コ字型鋼材の両端に設けられたボルトのための開口は、該断面コ字型鋼材の相対向する一面と他面のいずれか一方の面の両端部に存在する構成であり、
前記第３部材改良部材は、Ｌ字鋼材を所定の長さに断裁して形成されており、前記Ｌ字鋼材の一方のウェブの両端の断裁幅のうち端部片を除いた部分の幅は、前記第４部材の脚本体の後記連結面の幅に一致させてあり、前記一方のウェブの端部に設けられた開口は、該断裁されたＬ字鋼材の両端に設けられたボルトのための開口であり、前記他方のウェブに設けられた先端側が解放状態である開口は、該他方のウェブの両端に設けられたボルトのための開口であり、
前記第４部材は、断面コ字型鋼材を所定の長さに断裁して形成されており、前記ボルトのための開口は、該脚本体の３面各々の上端部に各複数設けられており、
前記第１部材と第４部材との組み合わせは、該第１部材が１つであると共に該第４部材が２つの組み合わせであり、該第４部材は、脚本体の３面以外の開放面が相対向させてあり、該第１部材が該２つの第４部材の上端部を連結しており、
前記第１部材の端部に設けられた前記開口と、前記第４部材の脚本体の上端部に設けられた前記開口とを通じて配置されるボルトにより、該第１部材と該第４部材とを組み合わせ固定することによって２脚の門型架台を組み立てた構成であり、
前記門型架台を連結する第３部材改良部材は、該２つの門型架台を相対向して配置し、この２つの門型架台の上端部を連結する２つの部材であり、
前記門型架台を、第１部材の方形鋼材部に設けられた前記開口と、第４部材の脚本体の相対向する面を連結する連結面に設けられた前記開口と、第３部材改良部材の他方のウェブに設けられた前記開口とを通じて配置されるボルトにより、
又は、第１部材の端部の設けられた前記開口と、第４部材の脚本体に設けられた前記開口と、第３部材改良部材の屈曲された延長部分で形成される端部片に設けられた前記開口とを通じて配置されるボルトにより、２つの門型架台を連結固定する構成であることを特徴とする配管用支持架台。
４．Ｌ字鋼材を所定の長さに断裁し、両端部にボルトのための開口を設けた構成である第２部材と、
Ｌ字鋼材の一方のウェブの両端を断裁して端部に開口を形成すると共に、他方のウェブに、先端側が解放状態である開口を設け、且つ該ウェブの両端を延長してその延長部を屈曲させて端部片とすると共に開口を設けた構成である第３部材改良部材と、
断面コ字型の鋼材で脚本体を形成し、その下端に支持板を取り付けると共に、上端側にボルトのための開口を用意した構成である第４部材とを用意し、
前記第２部材と前記第４部材との組み合わせにより２脚の門型架台に組み立て、これら門型架台を第３部材改良部材により連結して４脚の支持架台に組み立てる構成を有する配管用支持架台であって、
前記第２部材のボルトのための開口は、各ウェブの両端部に存在する構成であり、
前記第３部材改良部材は、Ｌ字鋼材を所定の長さに断裁して形成されており、前記Ｌ字鋼材の一方のウェブの両端の断裁幅のうち端部片を除いた部分の幅は、前記第４部材の脚本体の後記連結面の幅に一致させてあり、前記一方のウェブの端部に設けられた開口は、該断裁されたＬ字鋼材の両端に設けられたボルトのための開口であり、前記他方のウェブに設けられた先端側が解放状態である開口は、該他方のウェブの両端に設けられたボルトのための開口であり、
前記第４部材は、断面コ字型鋼材を所定の長さに断裁して形成されており、前記ボルトのための開口は、該脚本体の３面各々の上端部に各複数設けられており、
前記第２部材と第４部材との組み合わせは、該第２部材が１つであると共に該第４部材が２つの組み合わせであり、該第４部材は、脚本体の３面以外の開放面が相対向させてあり、該第２部材が該２つの第４部材の上端部を連結しており、
前記第２部材の両端部に設けられた前記開口と、前記第４部材の脚本体の上端部に設けられた前記開口とを通じて配置されるボルトにより、第２部材と第４部材とを組み合わせ固定することによって２脚の門型架台に組み立てた構成であり、
前記門型架台を連結する第３部材改良部材は、該２つの門型架台を相対向して配置し、この２つの門型架台の上端部を連結する２つの部材であり、
前記門型架台を、第４部材の脚本体の相対向する面を連結する連結面に設けられた前記開口と、第３部材改良部材の他方のウェブに設けられた前記開口とを通じて配置されるボルトにより、
又は、第２部材の両端部に設けられた前記開口と、第４部材の脚本体に設けられた前記開口と、第３部材改良部材の屈曲された延長部分で形成される端部片に設けられた前記開口とを通じて配置されるボルトにより、２つの門型架台を連結固定する構成であることを特徴とする配管用支持架台。
【０００７】
【発明の実施の形態】
以下、本発明について詳述する。
本発明に係る配管用支持架台は、図１に示されている三つの部材、即ち、第１部材１０又は第２部材２０と、第３部材３０と、第４部材４０とによって形成される。第１部材１０と第２部材２０とは支持架台の幅を決定する部材で、後述するように、脚部材である第４部材４０と組み合わされて利用される。
【０００８】
第１部材１０は、断面コ字型の鋼材を所定の長さに断裁し、両端部に方形鋼材部を設け、図示の如く端部にボルト締めのための開口１１、１２を用意した構成である。尚、この部材は、長さを異にする数種類を用意しておく。
【０００９】
第２部材２０は、Ｌ字鋼材を所定の長さに断裁し、両端部にボルト締めのための開口２１、２２を用意した構成である。尚、この部材も、長さを異にする数種類を用意しておく。
【００１０】
第３部材３０は、支持架台の長さを決定する部材であり、後述するように、第１部材１０と第４部材４０、或いは、第２部材２０と第４部材４０の組み合わせで形成される門形の支持架台の一対を結合して４脚の支持架台を構成するのに利用される。この第３部材３０は、Ｌ字鋼材の一方のウェブ３１の両端を断裁して端部に開口３２を形成すると共に、他方のウェブ３３に、先端側が解放状態である（傾斜状の）開口３４を設けた構成である。尚、この部材も、長さを異にする数種類を用意しておく。
【００１１】
第４部材４０は、支持架台の脚であり、断面コ字型の鋼材で脚本体４１を形成し、その下端に支持板４２を取り付けると共に、上端側にボルト孔となる開口４３・４４・４５を用意した構成である。尚、この部材も、高さを異にする数種類を用意しておく。
【００１２】
尚、上記した各部材において、図面が煩雑となるため図示しないが、軽量化のために開口を設けたり、補強のためにリブを形成すること等は自由である。
【００１３】
次に、上記した第１部材１０、第２部材２０、第３部材３０、第４部材４０を組み合わせて形成する配管用支持架台の種類を説明する。
【００１４】
図２に示す態様は、第１部材１０と、２つの第４部材４０とを組み合わせる構成である。この態様では、一対の第４部材４０を所定の間隔で向かい合わせ、脚本体４１の上端から第１部材１０を嵌挿して、開口１２と開口４５にボルト５０を嵌挿して固定する。尚、ボルト５０による固定は、開口１１と開口４３・４４を利用して横方向から行なうようにすることもできる。また、脚本体４１の２段目、３段目の開口を利用することにより、第１部材１０の高さの調整を行なうことができる。
【００１５】
図３に示す態様は、第２部材２０と、２つの第４部材４０とを組み合わせる構成である。この態様では、一対の第４部材４０を所定の間隔で向かい合わせ、脚本体４１の上端から第２部材２０を嵌挿して、開口２２と開口４３又は開口４４にボルト５１を嵌挿して固定する。
【００１６】
図４に示す態様は、第１部材１０と、２つの第４部材４０とを組み合わせた構成の支持脚（図２参照）の一対を、２つの第３部材３０で結合した構成である。第３部材３０を取り付けるには、ボルト５０を緩めて第３部材３０の開口３４を嵌め込み、開口の上端位置で固定する。
【００１７】
尚、第４部材４０の開口３４を傾斜状態に形成すれば、開口が垂直方向である構成と比較し、第３部材３０を上方に引き上げる力に十分に対抗できる効果があり、配設した配管に上方向への力が加わった場合にも、容易には脱落されることがない。
【００１８】
図５に示す態様は、第２部材２０と、２つの第４部材４０とを組み合わせた構成の支持脚（図３参照）の一対を、２つの第３部材３０で結合した構成である。第３部材３０を取り付けるには、ボルト５１を第３部材３０の開口３４に係合させた状態で脚本体４１の開口４５に嵌挿させて固定する。
【００１９】
図６には、第３部材の第２実施例である第３部材改良部材３０が示されている。この実施例では、ウェブ３３の両端を延長して、その延長部を直角状に屈曲させて端部片３５とすると共に、開口３６を用意している。
このように構成することで、第１部材１０により第４部材４０の一対を連結する態様（図４参照）に対して、この第３部材改良部材３０を適用した場合、第１部材１０の開口１２・第４部材４０の開口４５・第３部材改良部材３０の開口３４とをボルト５０により連結することが可能となる。
【００２０】
また、第２部材２０により第４部材４０の一対を連結する態様（図５参照）にに対して、第３部材改良部材３０を適用した場合、第２部材２０の開口２２・第４部材４０の開口４３・第３部材改良部材３０の開口３６とをボルト５１により連結することが可能となる。従って、図５に示す態様と比較し、ボルト５０を省略できる利点がある。
【００２１】
【発明の効果】
本発明によれば、少なくとも４つの部材を用意するだけで、少なくとも四つの態様の配管用支持架台を組み立てることができ、頭記した課題が解決される。
【図面の簡単な説明】
【図１】第１〜第４部材の１例を示す斜視図
【図２】第１部材と第４部材の組み合わせを示す斜視図
【図３】第２部材と第４部材の組み合わせを示す斜視図
【図４】第１部材と第４部材及び第３部材の組み合わせを示す斜視図
【図５】第２部材と第４部材及び第３部材の組み合わせを示す斜視図
【図６】第３部材の第２実施例を示す斜視図
【符号の説明】
１０−第１部材
１１−開口
１２−開口
２０−第２部材
２１−開口
２２−開口
３０−第３部材
３１−ウェブ
３２−開口
３３−ウェブ
３４−開口
３５−端部片
３６−開口
４０−第４部材
４１−脚本体
４２−支持板
４３−開口
４４−開口
４５−開口
５０−ボルト
５１−ボルト
【図１】
0004431211.tif 000002
【図２】
0004431211.tif 000003
【図３】
0004431211.tif 000004
【図４】
0004431211.tif 000005
【図５】
0004431211.tif 000006
【図６】
0004431211.tif 000007